(57)【要約】      （修正有）【課題】一対のマット本体を組合せて、高さ、幅、角度、硬さ等を調整することができ、人体の凹凸形状に合わせてフィットさせることができるクッションを提供する。【解決手段】クッション５は、内部に極小ビーズが充填された一対のマット本体１、１０１を備え、１対のマット本体は、ストレッチニットで平面視四角形の袋状体に縫製されるとともに、表地と裏地とを綴じた綴じ部が縦横方向に所定の離間距離を隔てて略格子状に複数設けられ、各々の綴じ部に対応して、綴じ部を含み、綴じ部の外周部で極小ビーズが収容される凹部３が形成され、各々の凹部に隣接して、極小ビーズが収容される凸部４ｂが略格子状に複数膨出形成され、一方のマット本体の凹部が、他方のマット本体の凸部に当接して当接部６を形成し、且つ、一方のマット本体の凸部が他方のマット本体の凹部に当接して当接部を形成する。【選択図】図１０
0003211873.tif 000002
【実用新案登録請求の範囲】
【請求項１】
内部に極小ビーズが充填された一対のマット本体から構成されるクッションであって、前記マット本体は双方とも、ストレッチニットで正面視略四角形の袋状体に縫製されるとともに、表地と裏地とを綴じた綴じ部が縦横方向に所定の離間距離を隔てて略格子状に複数設けられ、前記各々の綴じ部に対応して、前記綴じ部を含み、前記綴じ部の外周部で前記極小ビーズが収容される凹部が形成され、前記各々の凹部に隣接して、前記極小ビーズが収容される凸部が略格子状に複数膨出形成され、一方のマット本体の凹部が、他方のマット本体の凸部に当接して当接部を形成し、且つ、一方のマット本体の凸部が他方のマット本体の凹部に当接して当接部を形成し、複数の前記当接部を形成することによって一方のマット本体と他方のマット本体とを相互に係止可能とすることを特徴とする前記クッション。
【請求項２】
前記一対のマット本体双方の前記綴じ部が縦横方向に所定の離間距離を隔てて略格子状に複数設けられ、且つ、前記綴じ部がマット本体の長手方向に沿って複数の行を呈するように設けられ、一方のマット本体の長手方向に設けられた各々の綴じ部について、隣接する綴じ部と綴じ部との間に、他方のマット本体の長手方向に設けられた各々の綴じ部が配置可能に設けられていることを特徴とする請求項１に記載のクッション。
【請求項３】
前記一対のマット本体の各々の厚さが、マット本体全域にわたり短手方向の一端部から他端部に向かい徐々に大きく形成され、且つ、他端部に膨大凸部が形成されることを特徴とする請求項１又は２に記載のクッション。
【請求項４】
前記膨大凸部が平面視略細長瓢箪状であり、平面視略中央部に中央凹所が形成されることを特徴とする請求項１〜３の何れかに記載のクッション。
【請求項５】
前記他端部の正面視において長手方向の輪郭の略中央部に凹みが形成されることを特徴とする請求項１〜４の何れかに記載のクッション。
【請求項６】
前記極小ビーズは、直径が０．５ｍｍ〜１．０ｍｍの発泡ポリスチレンビーズであることを特徴とする請求項１〜５の何れかに記載のクッション。
【考案の詳細な説明】
【技術分野】
【０００１】
本考案は、一対のマット本体を組み合わせることにより、高さ、幅、角度、硬さ等を調整することができ、まくら、座布団等多目的に利用できるクッションに関するものである。
【背景技術】
【０００２】
特許文献１は、ウレタンフォームのチップと熱可塑性繊維の混合物からなるクッション体を使用し、枕、布団、又は座布団の外皮を構成する袋内でチップの自由な移動が無く、しかも良好なクッション性を得るというものである。
【０００３】
特許文献２は、尻側の高さを足側より高くして座る座布団において、尻を載せる側のクッション部の内部に流動性物質を流動可能な状態で充填し座り心地が良いよう構成したものである。
【先行技術文献】
【特許文献】
【０００４】
【特許文献１】特開２０１０−２０７５０５号
【特許文献２】特開２００５−８０８９７号
【考案の概要】
【考案が解決しようとする課題】
【０００５】
しかしながら、特許文献１は、チップの自由な移動が無いため、枕等の形状が固定されており、人体の凹凸形状に合わせるようにフィットさせることができないという問題があった。また、特許文献２は、尻を載せる部分のみ座り心地が良いという極めて限定的なものであるという問題があった。
【０００６】
本考案は、以上の点に鑑みてなされたものであり、一対のマット本体を組合せることにより、高さ、幅、角度、硬さ等を調整することができ、人体の凹凸形状に合わせるようにフィットさせることができるクッションを提供することを目的とするものである。
【課題を解決するための手段】
【０００７】
上記目的を達成するため、本考案に係るクッションは、内部に極小ビーズが充填された一対のマット本体から構成されるクッションであって、前記マット本体は双方とも、ストレッチニットで正面視略四角形の袋状体に縫製されるとともに、表地と裏地とを綴じた綴じ部が縦横方向に所定の離間距離を隔てて略格子状に複数設けられ、前記各々の綴じ部に対応して、前記綴じ部を含み、前記綴じ部の外周部で前記極小ビーズが収容される凹部が形成され、前記各々の凹部に隣接して、前記極小ビーズが収容される凸部が略格子状に複数膨出形成され、一方のマット本体の凹部が、他方のマット本体の凸部に当接して当接部を形成し、且つ、一方のマット本体の凸部が他方のマット本体の凹部に当接して当接部を形成し、複数の前記当接部を形成することによって一方のマット本体と他方のマット本体とを相互に係止可能とすることを特徴とする。
【０００８】
一実施形態において、前記一対のマット本体双方の前記綴じ部が縦横方向に所定の離間距離を隔てて略格子状に複数設けられ、且つ、前記綴じ部がマット本体の長手方向に沿って複数の行を呈するように設けられ、一方のマット本体の長手方向に設けられた各々の綴じ部について、隣接する綴じ部と綴じ部との間に、他方のマット本体の長手方向に設けられた各々の綴じ部が配置可能に設けられている。
【０００９】
一実施形態において、前記一対のマット本体の各々の厚さが、マット本体全域にわたり短手方向の一端部から他端部に向かい徐々に大きく形成され、且つ、他端部に膨大凸部が形成される。
【００１０】
一実施形態において、前記膨大凸部が平面視略細長瓢箪状であり、平面視略中央部に中央凹所が形成される。
【００１１】
一実施形態において、前記他端部の正面視において長手方向の輪郭の略中央部に凹みが形成される。
【００１２】
一実施形態において、前記極小ビーズは、直径が０．５ｍｍ〜１．０ｍｍの発泡ポリスチレンビーズである。
【考案の効果】
【００１３】
本考案に基づく一対のマット本体から構成されるクッションは、一方のマット本体の凹部が他方のマット本体の凸部に当接して当接部を形成し、且つ、一方のマット本体の凸部が他方のマット本体の凹部に当接して当接部を形成し、複数の前記当接部を形成することによって一方のマット本体と他方のマット本体とを相互に係止可能とすることができるので、組み合わされたクッションの高さ、幅、角度、硬さ等を調整することができ、好みに応じた形状、ポジションで使用することができる。
【００１４】
しかも一方のマット本体と他方のマット本体とを相互にすべらないよう係止できるので、安定した状態を保持しつつ、快適に使用することができる。
【００１５】
また、縦横方向に所定の離間距離を隔てて略格子状に複数設けられた綴じ部がマット本体の長手方向に沿って複数の行を呈するように設けられ、一方のマット本体の長手方向に設けられた各々の綴じ部について、隣接する綴じ部と綴じ部との間に、他方のマット本体の長手方向に設けられた各々の綴じ部が配置可能に設けられ、一方のマット本体の凹部が、他方のマット本体の凸部に当接して当接部を形成し、且つ、一方のマット本体の凸部が他方のマット本体の凹部に当接して当接部を形成するため、多数の当接部を一定間隔で形成でき、一方のマット本体と他方のマット本体とをより確実に相互にすべらないよう係止できるので、より安定した状態を保持しつつ、より快適に使用することができる。
【００１６】
さらに、綴じ部を除く凹部内と凸部内に極小ビーズが収容されているので、すべらない安定した状態を保持しつつ、極小ビーズが綴じ部を除く凹部内と凸部内で流動することにより、クッションの形状を好みに応じて微調整することができるので、人体の凹凸形状に合わせるようにフィットさせることができる。さらに、マット本体がストレッチニットにより形成されているため、フィット性が増す。
【００１７】
また、一対のマット本体の各々の厚さが、マット本体全域にわたり短手方向の一端部から他端部に向かい徐々に大きく形成され、且つ、他端部に膨大凸部が形成されるので、一方のマット本体と他方のマット本体の係止位置や組合せ方向等を変更・調整することにより、一対のマット本体から構成されるクッションの厚さを略均一に形成することも傾斜させて形成することもでき、好みに応じた形状、ポジションで使用することができる。
【００１８】
さらに、前記膨大凸部が平面視略細長瓢箪状であり、平面視略中央部に中央凹所が形成されるので、一対のマット本体から構成されるクッションにおいても中央凹所が形成される。そうすると、人体をクッションに押し付けた場合には、仰向けの場合でも、横向きの場合でも、人体が中央凹所に収まり安定する。すなわち、仰向けでも横向きでも対応できフィット感を得ることができる。
【００１９】
また、前記他端部の正面視において長手方向の輪郭の略中央部に凹みが形成されるので、一対のマット本体から構成されるクッションにおいても凹みが形成される。そうすると、前記凹みに沿わせて人体の首部を配置することができ、これにより、さらに収まりがよく、より安定する。
【００２０】
さらに、前記極小ビーズを、直径が０．５ｍｍ〜１．０ｍｍの発泡ポリスチレンビーズとすることで、適度な流動性が得られる。
【図面の簡単な説明】
【００２１】
【図１】本考案のクッションの一方のマット本体の正面図である。
【図２】本考案のクッションの一方のマット本体の綴じ部を示す説明図である。
【図３】本考案のクッションの他方のマット本体の正面図である。
【図４】本考案のクッションの他方のマット本体の綴じ部を示す説明図である。
【図５】本考案のクッションの一方のマット本体の側面図である。
【図６】本考案のクッションの一方のマット本体の平面図である。
【図７−１】本考案のクッションを構成する一対のマット本体の係止状態（１）を示す説明図である。
【図７−２】本考案のクッションを構成する一対のマット本体の係止状態（２）を示す説明図である。
【図８】本考案のクッションを構成する一対のマット本体の係止状態（３）を示す側面図である。
【図９】本考案のクッションを構成する一対のマット本体の係止状態（３）を示す正面図である。
【図１０】本考案のクッションを構成する一対のマット本体の係止状態（４）を示す側面図である。
【図１１】本考案のクッションを構成する一対のマット本体の係止状態（４）を示す正面図である。
【図１２】本考案のクッションの使用状態（１）を示す説明図である。
【図１３】本考案のクッションの使用状態（２）を示す説明図である。
【図１４】本考案のクッションの使用状態（３）を示す説明図である。
【図１５】本考案のクッションの使用状態（４）を示す説明図である。
【図１６】本考案のクッションの一方のマット本体の使用状態（１）を示す説明図である。
【図１７】本考案のクッションの使用状態（５）を示す説明図である。
【図１８】本考案のクッションの使用状態（６）を示す説明図である。
【図１９】本考案のクッションの使用状態（７）を示す説明図である。
【図２０】本考案のクッションの一方のマット本体の使用状態（２）を示す説明図である。
【考案を実施するための形態】
【００２２】
以下、本考案に係るクッションについて、図１〜図１１を参照しつつ説明する。
【００２３】
本考案に係るクッションは、図１〜図６に示すように、一対のマット本体１、１０１の内部に極小ビーズ（図示せず。）が充填されている。マット本体１、１０１は、ストレッチニットで正面視略四角形の袋状体に縫製されている。
【００２４】
また、マット本体１、１０１は、表地と裏地とを綴じた綴じ部２が縦横方向に所定の離間距離を隔てて略格子状に複数設けられ、前記各々の綴じ部２に対応して、前記綴じ部２を含み、前記綴じ部２の外周部で極小ビーズが収容される凹部３が形成され、前記各々の凹部３に隣接して、前記極小ビーズが収容される凸部４が略格子状に複数膨出形成されている。
【００２５】
マット本体１、１０１を形成するストレッチニットは、好ましくは緯（ヨコ）方向及び経（タテ）方向の伸び率が４０〜６０％であり、より好ましくはポリエステル繊維９０％前後とポリウレタン繊維１０％前後を含む複合糸でタテヨコの伸び率が５０％程度である。極小ビーズは、好ましくは、直径が０．５ｍｍ〜１．０ｍｍの発泡ポリスチレンビーズとされる。
【００２６】
極小ビーズは、マット本体１、１０１を形成するストレッチニットがやや伸長する程度に充填され、マット本体１、１０１が所望の厚さになっている。マット本体１、１０１の厚さは、隣り合う綴じ部２の長手方向の離間距離Ｌ１及び短手方向の離間距離Ｌ２と充填度合い（ストレッチニットの伸長度合い）によって変わるため、これらを適宜設定することにより、マット本体１、１０１の所望の厚さが得られる。
【００２７】
マット本体１、１０１の厚さは、例えば、２ｃｍ〜１２ｃｍとされる。図示例のマット本体１は、縦４０ｃｍ、横７０ｃｍの直方体状であるが、適宜寸法に設定することができる。極小ビーズは、マット本体１、１０１の綴じ部２を除く凹部３内と凸部４内で流動することができる。これにより、マット本体１、１０１、及びクッション５の形状を好みに応じて微調整することができ、人体の凹凸形状に合わせるようにフィットさせることができる。
【００２８】
まず、一方のマット本体１を中心に説明する。図１、図２、図５及び図６を参照すると、表地と裏地とを綴じた綴じ部２がマット本体１の縦横方向に長手方向の離間距離Ｌ１と短手方向の離間距離Ｌ２を隔てて略格子状に複数設けられている。具体的には、複数の綴じ部２がマット本体１の長手方向に沿って相互に略平行に４つの行を呈するように規則的に設けられており、隣接する綴じ部２のＸ方向の離間間隔Ｌ１は、長手方向両端部から中央に向かい徐々に小さく形成されており、Ｙ方向の離間間隔Ｌ２は、短手方向の下端から上端に向かい徐々に大きく形成されている。
【００２９】
また、複数の綴じ部２の各々に対応して前記綴じ部２を含み、前記綴じ部２の外周部で前記極小ビーズが収容される凹部３が形成され、前記各々の凹部３に隣接して、前記極小ビーズが収容される凸部４が略格子状に複数膨出形成されている。すなわち、マット本体１において、各々の凹部３に隣接した凹部３以外の部分が凸部４として形成されている。
【００３０】
凸部４は、マット本体１の厚さが大きい上端部（他端部）に形成される正面視略長方形状の膨大凸部４ａと各凹部３に隣接して形成される複数の正面視略四角形状の凸部４ｂとで構成される。そして、膨大凸部４ａは、平面視略細長瓢箪状であり、平面視略中央部に中央凹所７が形成されている。
【００３１】
尚、隣接する凸部４ｂ同士がマット本体１の長手方向に沿って繋がり正面視横長長方形状を形成するものであっても良い。また、図示例の綴じ部２の離間距離Ｌ１、Ｌ２は、３ｃｍ〜９ｃｍであるが、これに限定されるものではない。マット本体１の所望の厚さが得られるよう適宜設定することができる。
【００３２】
ここで、マット本体１の厚さが、マット本体１の全域にわたり、短手方向の一端部から他端部に向かい徐々に大きくなるよう形成され、且つ、他端部に正面視略長方形状の膨大凸部４ａが形成されているが、これに伴い、Ｙ方向の離間間隔Ｌ２は、短手方向の下端部（一端部）から上端部（他端部）に向かい徐々に大きくなるよう形成されている。すなわち、離間間隔Ｌ１及びＬ２が大きい部分の凸部４の方が、離間間隔Ｌ１及びＬ２が小さい部分の凸部４よりも厚さが大きくなり、マット本体１の厚さが大きくなっている。
【００３３】
これにより、一方のマット本体１と他方のマット本体１０１の係止位置や組合せ方向等を変更することにより、一対のマット本体１、１０１から構成されるクッション５の厚さを略均一に形成することも傾斜させて形成することもでき、好みに応じた形状、ポジションで使用することができる。
【００３４】
また、図６に示されるように、平面視略細長瓢箪状の膨大凸部４ａの平面視略中央部に中央凹所７が形成されるので、一対のマット本体から構成されるクッション５においても中央凹所７が形成される。
【００３５】
そうすると、人体をクッション５に押し付けた場合には、仰向けの場合でも、横向きの場合でも、人体が中央凹所７に収まり安定する。すなわち、仰向けでも横向きでも対応できフィット感を得ることができる。
【００３６】
さらに、図１に示されるように、前記他端部（上端部）の正面視において長手方向の輪郭の略中央部に凹み８が形成されるので、一対のマット本体から構成されるクッション５においても凹み８が形成される。そうすると、凹み８に沿わせて人体の首部を配置することにより、さらに収まりがよく、より安定する。
【００３７】
尚、図１において矢印Ｘ方向がマット本体１の横方向であり、矢印Ｙ方向がマット本体１の縦方向である。
【００３８】
次に、他方のマット本体１０１について説明する。図３及び図４に示されるように、他方のマット本体１０１と一方のマット１の構成・形状は略同一である。両者の相違点は、略格子状に形成された各々の綴じ部２の位置が異なり、これに伴い凹部３と凸部４ｂの位置が異なることである。
【００３９】
これにより、一方のマット本体１の凹部３が他方のマット本体１０１の凸部４ｂに当接して当接部６を形成し、且つ、一方のマット本体１の凸部４ｂが他方のマット本体１０１の凹部３に当接して当接部６を形成し、複数の前記当接部６を形成することよってマット本体１、とマット本体１０１とを相互にすべらないよう係止可能な形状・寸法に調整され形成されているものである。
【００４０】
このように、マット本体１、とマット本体１０１とが適宜位置で相互に係止され組み合わされることにより、マット本体１とマット本体１０１が組み合わされたクッション５の高さ、幅、角度、硬さ等を調整することができ、好みに応じた形状、ポジションで使用することができる。
【００４１】
しかもマット本体１、とマット本体１０１とを相互にすべらないよう係止できるので、安定した状態を保持しつつ、快適に使用することができる。
【００４２】
ここで、図２は、本考案のクッションの一方のマット本体の綴じ部を示す説明図である。図４は、本考案のクッションの他方のマット本体の綴じ部を示す説明図である。図７−１は本考案のクッションを構成する一対のマット本体の係止状態（１）を示す説明図である。図７−２は本考案のクッションを構成する一対のマット本体の係止状態（２）を示す説明図である。図７−１は、マット本体１とマット本体１０１とが全くずれない位置で相互に係止され組み合わされた状態であり、図７−２は、マット本体１とマット本体１０１とが少しずれた位置で相互に係止され組み合わされた状態である。
【００４３】
図７−１及び図７−２において、マット本体１の綴じ部２が黒、マット本体１０１の綴じ部２が白抜きで示されており、マット本体１の輪郭は実線で、マット本体１０１の輪郭は破線で示されている。
【００４４】
この場合には、図２、図４、図７−１等に示されるように、マット本体１、１０１双方の長手方向に沿って相互に略平行に４つの行を呈するように規則的に設けられており、一方のマット本体１の長手方向に沿って設けられた任意の行、例えば、Ｙ方向の最上行、の綴じ部２の個数が、他方のマット本体１０１の長手方向に設けられた任意の行、例えば、Ｙ方向の最上行又は中程に位置する行、の綴じ部２の個数と、略同一であり、一方のマット本体１の長手方向に設けられた各々の綴じ部２について、隣接する綴じ部２と綴じ部２との間に、他方のマット本体１０１の長手方向に設けられた各々の綴じ部２が配置可能に設けられている。
【００４５】
一方のマット本体１の長手方向に設けられた各々の綴じ部２について、隣接する綴じ部２と綴じ部２との間に、他方のマット本体１０１の長手方向に設けられた各々の綴じ部２が配置可能に設けられているとは、例えば、図７−１及び図７−２において、一方のマット本体１のＹ方向の最上行の隣接する綴じ部２ａと綴じ部２ｃとの間に、他方のマット本体１０１のＹ方向の最上行の綴じ部２ｂが配置されており、一方のマット本体１のＹ方向の最上行の隣接する綴じ部２ｃと綴じ部２ｅとの間に、他方のマット本体１０１のＹ方向の最上行の綴じ部２ｄが配置されており、その他の綴じ部２について、同様に配置可能に設けられていることである。
【００４６】
そうすると、一方のマット本体１の凹部３が他方のマット本体１０１の凸部４ｂに当接して当接部６を形成し、且つ、一方のマット本体１の凸部４ｂが他方のマット本体１０１の凹部３に当接して当接部６を形成した場合、多数の当接部６を一定間隔で形成できるため、マット本体１とマット本体１０１とをより確実に相互にすべらないよう係止できる。これにより、より安定した状態を保持しつつ、より快適に使用することができる。
【００４７】
さらに、安定した状態を保持しつつ、綴じ部２を除く凹部３内と凸部４内に充填された極小ビーズが綴じ部２を除く凹部３内と凸部４内で流動することにより、クッション５の形状を好みに応じて微調整することができるので、人体の凹凸形状に合わせるようにフィットさせることができる。また、マット本体がストレッチニットにより形成されているため、フィット性が増す。
【００４８】
次に、本考案に係るクッション５の使用方法について説明する。図８は、本考案のクッション５を構成する一対のマット本体１、１０１の係止状態（３）を示す側面図である。図９は、本考案のクッション５を構成する一対のマット本体１、１０１の係止状態（３）を示す正面図である。図８及び図９に示されるクッション５は、マット本体１及びマット本体１０１双方の短手方向の厚みが大きい部分が外側に、厚みが小さい部分が内側になるようにマット本体１の一方の凹部３がマット本体１０１の凸部４ｂに当接して当接部６を形成し、且つ、マット本体１の凸部４ｂがマット本体１０１の凹部３に当接して当接部６を形成し、複数の当接部６を形成することよってマット本体１、とマット本体１０１とを相互にすべらないよう係止したものである。
【００４９】
このように組み合わされたクッション５は、略均一な厚みを形成することができる。図１２は図８及び図９に示されたクッション５を枕として使用している状態であり、膨大凸部４ａの中央凹所７に人体の頭部を載せ、且つ、凹み８に沿わせて人体の首部を配置して仰向けに寝た状態である。クッション５は、略均一な厚みを形成しているので傾斜なく使用することができる。
【００５０】
また、マット本体１及びマット本体１０１の組み合わせる位置を少しずらせることで高さや硬さを微調整することができ、好みに応じた気持ちよい形状、ポジションで使用することができる。さらに、クッション５に形成された中央凹所７に、人体の頭部を押し付けた場合には、仰向けの場合でも、横向きの場合でも、頭部が中央凹所７に収まり安定する。すなわち、仰向けでも横向きでも対応できフィット感を得ることができる。
【００５１】
また、クッション５に形成された凹み８に沿わせて人体の首部を配置することにより、さらに収まりがよく、より安定する。
【００５２】
そして、複数の凹部３と凸部４ｂとが当接して当接部６を形成し、複数の前記当接部６を形成することよってマット本体１、とマット本体１０１とを相互にすべらないよう係止できるので、安定した状態を保持しつつ、快適に使用することができる。
【００５３】
さらに、マット本体１、１０１双方の長手方向に沿って相互に略平行に４つの行を呈するように規則的に設けられており、一方のマット本体１の長手方向に沿って設けられた任意の行の綴じ部２の個数が、他方のマット本体１０１の長手方向に設けられた任意の行の綴じ部２の個数と略同一であり、一方のマット本体１の長手方向に設けられた各々の綴じ部２について、隣接する綴じ部２と綴じ部２との間に、他方のマット本体１０１の長手方向に設けられた各々の綴じ部２が配置可能に設けられている。
【００５４】
そうすると、一方のマット本体１の凹部３が他方のマット本体１０１の凸部４ｂに当接して当接部６を形成し、且つ、一方のマット本体１の凸部４ｂが他方のマット本体１０１の凹部３に当接して当接部６を形成した場合、多数の当接部６を一定間隔で形成できるため、マット本体１とマット本体１０１とをより確実に相互にすべらないよう係止できる。
【００５５】
これにより、より安定した状態を保持しつつ、より快適に使用することができる。また、マット本体１、１０１がストレッチニットにより形成されているため、フィット性が増す。
【００５６】
さらに、安定した状態を保持しつつ、極小ビーズが綴じ部２を除く凹部３内と凸部４内で流動し、クッション５の形状を好みに応じて微調整することができるので、人体の凹凸形状に合わせるように好適にフィットせることができる。
【００５７】
尚、発泡ポリスチレン製の極小ビーズは、断熱効果が得られ、人体の保温効果がある。また、マット本体１、１０１には上下等方向性もなく使用できるため、好みに応じて図１３に示されるようにクッション５を枕として使用することができる。
【００５８】
図１０は、本考案のクッション５を構成する一対のマット本体１、１０１の係止状態（４）を示す側面図である。図１１は、本考案のクッション５を構成する一対のマット本体１、１０１の係止状態（４）を示す正面図である。図１０及び図１１に示されるクッション５は、マット本体１及びマット本体１０１双方の短手方向の厚みが大きい部分同士と、厚みが小さい部分同士を少しずらせて、マット本体１の一方の凹部３がマット本体１０１の凸部４ｂに当接して当接部６を形成し、且つ、マット本体１の凸部４ｂがマット本体１０１の凹部３に当接して当接６部を形成し、複数の前記当接部６を形成することよってマット本体１、とマット本体１０１とを相互にすべらないよう係止したものである。
【００５９】
このように組み合わされたクッション５は、その全域にわたり一端部から他端部に向かい厚みを増加又は低減させて形成することができる。
【００６０】
図１４は、図１０及び図１１に示されたクッション５を枕として使用し、膨大凸部４ａの中央凹所７に人体の頭部を載せて仰向けに寝た状態である。クッション５は、一端部から他端部に向かい厚みを増加又は低減させて形成しているので傾斜がついた枕として使用することができる。また、マット本体１及びマット本体１０１の組み合わせる位置を少しずらせることで高さや硬さを微調整することができ、好みに応じた気持ちよい形状、ポジションで使用することができる。
【００６１】
さらに、クッション５に形成された中央凹所７に、人体の頭部を押し付けた場合には、仰向けの場合でも、横向きの場合でも、頭部が中央凹所７に収まり安定する。すなわち、仰向けでも横向きでも対応できフィット感を得ることができる。
【００６２】
そして、複数の凹部３と凸部４ｂとが当接して当接部６を形成し、複数の前記当接部６を形成することよってマット本体１、とマット本体１０１とを相互にすべらないよう係止できるので、安定した状態を保持しつつ、快適に使用することができる。
【００６３】
さらに、マット本体１、１０１双方の長手方向に沿って相互に略平行に４つの行を呈するように規則的に設けられており、一方のマット本体１の長手方向に沿って設けられた任意の行の綴じ部２の個数が、他方のマット本体１０１の長手方向に設けられた任意の行の綴じ部２の個数と略同一であり、一方のマット本体１の長手方向に設けられた各々の綴じ部２について、隣接する綴じ部２と綴じ部２との間に、他方のマット本体１０１の長手方向に設けられた各々の綴じ部２が配置可能に設けられている。
【００６４】
そうすると、一方のマット本体１の凹部３が他方のマット本体１０１の凸部４ｂに当接して当接部６を形成し、且つ、一方のマット本体１の凸部４ｂが他方のマット本体１０１の凹部３に当接して当接部６を形成した場合、多数の当接部６を一定間隔で形成できるため、マット本体１とマット本体１０１とをより確実に相互にすべらないよう係止できる。
【００６５】
これにより、より安定した状態を保持しつつ、より快適に使用することができる。また、マット本体１、１０１がストレッチニットにより形成されているため、フィット性が増す。
【００６６】
さらに、安定した状態を保持しつつ、極小ビーズが綴じ部２を除く凹部３内と凸部４内で流動し、多目的マット５の形状を好みに応じて微調整することができるので、人体の凹凸形状に合わせるように好適にフィットさせることができる。尚、発泡ポリスチレン製の極小ビーズは、断熱効果が得られ、人体の保温効果がある。
【００６７】
また、マット本体１、１０１には上下等方向性もなく使用できるため、好みに応じて図１５に示されるようにクッション５を枕として使用することができる。
尚、図１６に示されるようにマット本体１のみを傾斜がついた枕として使用することができる。
【００６８】
また、マット本体１、とマット本体１０１が組み合わされたクッション５はボディケアマットとして使用することもできる。マット本体１及びマット本体１０１双方の短手方向の厚みが大きい部分が外側に、厚みが小さい部分が内側になるように組み合わされた図１７に示されるクッション５を、マットレス、ベッド等の上に敷いて、図１７における矢印Ｍ方向に頭部、矢印Ｎ方向に足部が配置されるように、クッション５の上に背中及び腰を載せて仰向けに寝ることができる。
【００６９】
そうすると、クッション５の上に仰臥した人体の体重が作用することにより、極小ビーズが綴じ部２を除く凹部３内と凸部４内で流動し、人体の凹凸形状に合わせるようにフィットし、人体の背面にフィットする。収容凸部４を含むマット本体１、１０１がストレッチニットにより形成されているため、フィット性が増す。
【００７０】
また、クッション５は人体の凹凸形状にフィットするため、人体の微細な陥凹部として捉えられる、いわゆるツボ（経穴）に極小ビーズがストレッチニットを介して入り込み、脊柱に沿って多くの点在するツボを押圧し刺激しうる。したがって、気持ちよく背筋が伸びて爽快感をうることができる。
さらに、発泡ポリスチレン製の極小ビーズは、断熱効果が得られ、人体の保温効果もある。
【００７１】
図１８に示されるように、クッション５を座布団として、使用することもできる。この場合、クッション５の上に着座した人体の体重が作用し、適度な圧力で押圧することによって、脊柱の凸部分が好適にサポートされ、体の左右の歪を矯正する効果も期待できる。なお、極小ビーズは、断熱効果が得られ、人体の保温効果もある。
【００７２】
図１９に示されるように、クッション５を椅子に載置して緩衝クッションとして使用することもできる。さらに、図２０に示されるように、長手方向に沿って巻きつけて固定したマット本体１をストレッチポールとして使用することもできる。
【符号の説明】
【００７３】
１  一方のマット本体
２  綴じ部
２ａ  一方のマット本体のＹ方向の最上行の綴じ部
２ｂ  他方のマット本体のＹ方向の最上行の綴じ部
２ｃ  一方のマット本体のＹ方向の最上行の綴じ部
２ｄ  他方のマット本体のＹ方向の最上行の綴じ部
２ｅ  一方のマット本体のＹ方向の最上行の綴じ部
３  凹部
４  凸部
４ａ  膨大凸部
４ｂ  平面視略四角形状の凸部
５  クッション
６  当接部
７  中央凹所
８  凹み
１０１  他方のマット本体
【図１】
0003211873.tif 000003
【図２】
0003211873.tif 000004
【図３】
0003211873.tif 000005
【図４】
0003211873.tif 000006
【図５】
0003211873.tif 000007
【図６】
0003211873.tif 000008
【図７−１】
0003211873.tif 000009
【図７−２】
0003211873.tif 000010
【図８】
0003211873.tif 000011
【図９】
0003211873.tif 000012
【図１０】
0003211873.tif 000013
【図１１】
0003211873.tif 000014
【図１２】
0003211873.tif 000015
【図１３】
0003211873.tif 000016
【図１４】
0003211873.tif 000017
【図１５】
0003211873.tif 000018
【図１６】
0003211873.tif 000019
【図１７】
0003211873.tif 000020
【図１８】
0003211873.tif 000021
【図１９】
0003211873.tif 000022
【図２０】
0003211873.tif 000023
【手続補正書】
【提出日】平成29年6月6日(2017.6.6)
【手続補正１】
【補正対象書類名】実用新案登録請求の範囲
【補正対象項目名】全文
【補正方法】変更
【補正の内容】
【実用新案登録請求の範囲】
【請求項１】
内部に極小ビーズが充填された一対のマット本体から構成されるクッションであって、前記マット本体は双方とも、ストレッチニットで正面視略四角形の袋状体に縫製されるとともに、表地と裏地とを綴じた綴じ部が縦横方向に所定の離間距離を隔てて略格子状に複数設けられ、前記各々の綴じ部に対応して、前記綴じ部を含み、前記綴じ部の外周部で前記極小ビーズが収容される凹部が形成され、前記各々の凹部に隣接して、前記極小ビーズが収容される凸部が略格子状に複数膨出形成され、一方のマット本体の凹部が、他方のマット本体の凸部に当接して当接部を形成し、且つ、一方のマット本体の凸部が他方のマット本体の凹部に当接して当接部を形成し、複数の前記当接部を形成することによって一方のマット本体と他方のマット本体とを相互に係止可能とすることを特徴とする前記クッション。
【請求項２】
前記一対のマット本体双方の前記綴じ部が縦横方向に所定の離間距離を隔てて略格子状に複数設けられ、且つ、前記綴じ部がマット本体の長手方向に沿って複数の行を呈するように設けられ、一方のマット本体の長手方向に設けられた各々の綴じ部について、隣接する綴じ部と綴じ部との間に、他方のマット本体の長手方向に設けられた各々の綴じ部が配置可能に設けられていることを特徴とする請求項１に記載のクッション。
【請求項３】
前記一対のマット本体の各々の厚さが、マット本体全域にわたり短手方向の一端部から他端部に向かい徐々に大きく形成され、且つ、他端部に膨大凸部が形成されることを特徴とする請求項１又は２に記載のクッション。
【請求項４】
前記膨大凸部が平面視略細長瓢箪状であり、平面視略中央部に中央凹所が形成されることを特徴とする請求項３に記載のクッション。
【請求項５】
前記他端部の正面視において長手方向の輪郭の略中央部に凹みが形成されることを特徴とする請求項３に記載のクッション。
【請求項６】
前記極小ビーズは、直径が０．５ｍｍ〜１．０ｍｍの発泡ポリスチレンビーズであることを特徴とする請求項１〜５の何れかに記載のクッション。